(57)【要約】  ワイヤレス通信のための方法、装置、およびコンピュータプログラム製品が提供される。本装置は、発見期間ＴにおいてＷＡＮ通信とピアツーピア通信とのためにサブフレームのＫ個のブロックを割り振り、ＷＡＮ通信のために発見期間Ｔ中の残りのサブフレームを割り振り、Ｋ個のブロックの各ブロックにおいてピア発見のためにサブフレームの第１のセットを割り振り、ＷＡＮ通信のためにサブフレームの第２のセットを割り振る。
2016513423.tif 000002
【特許請求の範囲】
【請求項１】
ワイヤレス通信の方法であって、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振ることと、
前記Ｋ個のブロックの各ブロックにおいて、ピア発見のためにサブフレームの第１のセットを割り振り、前記ＷＡＮ通信のためにサブフレームの第２のセットを割り振ることと、
を備えるワイヤレス通信の方法。
【請求項２】
ＵＥへの電力供給をオンおよびオフにすることに起因して消費される電力、遅延センシティブなＷＡＮトラフィックの割合、ハイブリッド自動再送要求（ＨＡＲＱ）送信、またはエリアのＵＥの密度のうちの少なくとも１つに基づいて、値Ｋを決定することをさらに備える、請求項１に記載の方法。
【請求項３】
前記ＷＡＮ通信のために前記サブフレームを割り振ることは、ピア発見のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信のためにｍ×Ｌ個のサブフレームを割り振ることを備える、請求項１に記載の方法。
【請求項４】
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、請求項３に記載の方法。
【請求項５】
前記発見期間Ｔ内でピア発見のために必要とされるＭ個のサブフレームを決定することと、
サブフレームの前記Ｋ個のブロックの各々中に含まれるべきＤ個のサブフレームの最大値を決定することと、
Ｍ≦（Ｋ×ｋ×Ｌ）およびＤ≧（ｋ＋ｍ）×Ｌとなるように、Ｋ、ｋ、ｍ、およびＬの値を設定することと、
をさらに備える、請求項３に記載の方法。
【請求項６】
ＷＡＮトラフィックのアウテージ確率が比（Ｋ×ｋ×Ｌ）／Ｔに基づき、前記方法が、前記ＷＡＮトラフィックの前記アウテージ確率を制御するために第１の発見期間Ｔを調整することをさらに備える、請求項５に記載の方法。
【請求項７】
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振ることと、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振ることと、
をさらに備える、請求項１に記載の方法。
【請求項８】
前記第２の発見期間において前記ＷＡＮ通信のために前記サブフレームを割り振ることは、前記ピア発見のためのｎ個の隣接サブフレームの少なくとも１つのセットの各々の後に前記ＷＡＮ通信のためのｍ個のサブフレームが続くように、前記第２の発見期間Ｔにおいて前記Ｋ個のブロックの各々において前記ＷＡＮ通信のためにｍ×Ｌ個のサブフレームを割り振ることを備える、請求項７に記載の方法。
【請求項９】
ｋがｎに等しい、請求項８に記載の方法。
【請求項１０】
ｋがｎに等しくない、請求項８に記載の方法。
【請求項１１】
ｋが３に等しく、ｍが１に等しく、Ｋが１に等しい、請求項３に記載の方法。
【請求項１２】
発展型ノードＢ（ｅＮＢ）からＴ、Ｋ、ｋ、ｎ、ｍ、またはＬのうちの少なくとも１つについての値を受信することをさらに備える、請求項８に記載の方法。
【請求項１３】
システム情報ブロック（ＳＩＢ）中のＴ、Ｋ、ｋ、ｎ、ｍ、またはＬのうちの少なくとも１つについての値を１つまたは複数のＵＥに送信することをさらに備える、請求項８に記載の方法。
【請求項１４】
前記Ｋ個のブロックの各ブロック中の前記ＷＡＮ通信のためのサブフレームの前記第２のセットが、ＵＥによって送信されたアップリンク通信を受信するためのものである、請求項１に記載の方法。
【請求項１５】
サブフレームの前記Ｋ個のブロックの各々において前記ＷＡＮ通信のために割り振られた１つまたは複数のサブフレーム中にＵＥからのアップリンク送信を監視することをさらに備える、請求項１に記載の方法。
【請求項１６】
ワイヤレス通信のための装置であって、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振るための手段と、
前記Ｋ個のブロックの各ブロックにおいて、ピア発見のためにサブフレームの第１のセットを割り振り、前記ＷＡＮ通信のためにサブフレームの第２のセットを割り振るための手段と、
を備える、ワイヤレス通信のための装置。
【請求項１７】
ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、値Ｋを決定するための手段をさらに備える、請求項１６に記載の装置。
【請求項１８】
前記ＷＡＮ通信のために前記サブフレームを割り振ることは、ピア発見のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信のためにｍ×Ｌ個のサブフレームを割り振ることを備える、請求項１６に記載の装置。
【請求項１９】
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、請求項１８に記載の装置。
【請求項２０】
前記発見期間Ｔ内でピア発見のために必要とされるＭ個のサブフレームを決定するための手段と、
サブフレームの前記Ｋ個のブロックの各々中に含まれるべきＤ個のサブフレームの最大値を決定するための手段と、
Ｍ≦（Ｋ×ｋ×Ｌ）およびＤ≧（ｋ＋ｍ）×Ｌとなるように、Ｋ、ｋ、ｍ、およびＬの値を設定するための手段と、
をさらに備える、請求項１８に記載の装置。
【請求項２１】
ＷＡＮトラフィックのアウテージ確率が比（Ｋ×ｋ×Ｌ）／Ｔに基づき、前記装置が、前記ＷＡＮトラフィックの前記アウテージ確率を制御するために第１の発見期間Ｔを調整するための手段をさらに備える、請求項２０に記載の装置。
【請求項２２】
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振るための手段と、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振るための手段と、
をさらに備える、請求項１６に記載の装置。
【請求項２３】
前記第２の発見期間において前記ＷＡＮ通信のために前記サブフレームを割り振ることは、前記ピア発見のためのｎ個の隣接サブフレームの少なくとも１つのセットの各々の後に前記ＷＡＮ通信のためのｍ個のサブフレームが続くように、前記第２の発見期間Ｔ中で前記Ｋ個のブロックの各々において前記ＷＡＮ通信のためにｍ×Ｌ個のサブフレームを割り振ることを備える、請求項２２に記載の装置。
【請求項２４】
ｋがｎに等しい、請求項２３に記載の装置。
【請求項２５】
ｋがｎに等しくない、請求項２３に記載の装置。
【請求項２６】
ｋが３に等しく、ｍが１に等しく、Ｋが１に等しい、請求項１８に記載の装置。
【請求項２７】
発展型ノードＢ（ｅＮＢ）からＴ、Ｋ、ｋ、ｎ、ｍ、またはＬのうちの少なくとも１つについての値を受信するための手段をさらに備える、請求項２３に記載の装置。
【請求項２８】
システム情報ブロック（ＳＩＢ）中のＴ、Ｋ、ｋ、ｎ、ｍ、またはＬのうちの少なくとも１つについての値を１つまたは複数のＵＥに送信するための手段をさらに備える、請求項２３に記載の装置。
【請求項２９】
前記Ｋ個のブロックの各ブロック中の前記ＷＡＮ通信のためのサブフレームの前記第２のセットが、ＵＥによって送信されたアップリンク通信を受信するためのものである、請求項１６に記載の装置。
【請求項３０】
サブフレームの前記Ｋ個のブロックの各々において前記ＷＡＮ通信のために割り振られた１つまたは複数のサブフレーム中にＵＥからのアップリンク送信を監視するための手段をさらに備える、請求項１６に記載の装置。
【請求項３１】
ワイヤレス通信のための装置であって、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振ることと、
前記Ｋ個のブロックの各ブロックにおいて、ピア発見のためにサブフレームの第１のセットを割り振り、前記ＷＡＮ通信のためにサブフレームの第２のセットを割り振ることと、
を行うように構成された割振りモジュール
を備える、ワイヤレス通信のための装置。
【請求項３２】
ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、値Ｋを決定するように構成された決定モジュールをさらに備える、請求項３１に記載の装置。
【請求項３３】
ピア発見のためのｋ個の隣接サブフレームの少なくとも１つのセットの各々の後に前記ＷＡＮ通信のためのｍ個のサブフレームが続くように、ｍ×Ｌ個のサブフレームが前記Ｋ個のブロックの各々において前記ＷＡＮ通信のために割り振られる、請求項３１に記載の装置。
【請求項３４】
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、請求項３３に記載の装置。
【請求項３５】
前記発見期間Ｔ内でピア発見のために必要とされるＭ個のサブフレームを決定することと、
サブフレームの前記Ｋ個のブロックの各々中に含まれるべきＤ個のサブフレームの最大値を決定することと
を行うように構成された決定モジュールと、
Ｍ≦（Ｋ×ｋ×Ｌ）およびＤ≧（ｋ＋ｍ）×Ｌとなるように、Ｋ、ｋ、ｍ、およびＬの値を設定するように構成された設定モジュールと、
をさらに備える、請求項３３に記載の装置。
【請求項３６】
ＷＡＮトラフィックのアウテージ確率が比（Ｋ×ｋ×Ｌ）／Ｔに基づき、前記装置が、前記ＷＡＮトラフィックの前記アウテージ確率を制御するために第１の発見期間Ｔを調整するように構成された調整モジュールをさらに備える、請求項３５に記載の装置。
【請求項３７】
前記割振りモジュールが、
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振ることと、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振ることと、
を行うようにさらに構成された、請求項３１に記載の装置。
【請求項３８】
前記第２の発見期間中の前記ＷＡＮ通信のための前記サブフレームの割振りが、前記ピア発見のためのｎ個の隣接サブフレームの少なくとも１つのセットの各々の後に前記ＷＡＮ通信のためのｍ個のサブフレームが続くような、前記第２の発見期間Ｔ中の前記Ｋ個のブロックの各々中の前記ＷＡＮ通信のためのｍ×Ｌ個のサブフレームの割振りを備える、請求項３７に記載の装置。
【請求項３９】
ｋがｎに等しい、請求項３８に記載の装置。
【請求項４０】
ｋがｎに等しくない、請求項３８に記載の装置。
【請求項４１】
ｋが３に等しく、ｍが１に等しく、Ｋが１に等しい、請求項３３に記載の装置。
【請求項４２】
発展型ノードＢ（ｅＮＢ）からＴ、Ｋ、ｋ、ｎ、ｍ、またはＬのうちの少なくとも１つについての値を受信するように構成された受信モジュールをさらに備える、請求項３８に記載の装置。
【請求項４３】
システム情報ブロック（ＳＩＢ）中のＴ、Ｋ、ｋ、ｎ、ｍ、またはＬのうちの少なくとも１つについての値を１つまたは複数のＵＥに送信するように構成された送信モジュールをさらに備える、請求項３８に記載の装置。
【請求項４４】
前記Ｋ個のブロックの各ブロック中の前記ＷＡＮ通信のためのサブフレームの前記第２のセットが、ＵＥによって送信されたアップリンク通信を受信するためのものである、請求項３１に記載の装置。
【請求項４５】
サブフレームの前記Ｋ個のブロックの各々において前記ＷＡＮ通信のために割り振られた１つまたは複数のサブフレーム中にＵＥからのアップリンク送信を監視するように構成された監視モジュールをさらに備える、請求項３１に記載の装置。
【請求項４６】
コンピュータプログラム製品であって、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振ることと、
前記Ｋ個のブロックの各ブロックにおいて、ピア発見のためにサブフレームの第１のセットを割り振り、前記ＷＡＮ通信のためにサブフレームの第２のセットを割り振ることと、
を行うためのコードを備えるコンピュータ可読媒体
を備える、コンピュータプログラム製品。
【請求項４７】
前記コンピュータ可読媒体が、ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、値Ｋを決定するためのコードをさらに備える、請求項４６に記載のコンピュータプログラム製品。
【請求項４８】
前記ＷＡＮ通信のために前記サブフレームを割り振ることは、ピア発見のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信のためにｍ×Ｌ個のサブフレームを割り振ることを備える、請求項４６に記載のコンピュータプログラム製品。
【請求項４９】
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、請求項４８に記載のコンピュータプログラム製品。
【請求項５０】
前記コンピュータ可読媒体が、
前記発見期間Ｔ内でピア発見のために必要とされるＭ個のサブフレームを決定することと、
サブフレームの前記Ｋ個のブロックの各々中に含まれるべきＤ個のサブフレームの最大値を決定することと、
Ｍ≦（Ｋ×ｋ×Ｌ）およびＤ≧（ｋ＋ｍ）×Ｌとなるように、Ｋ、ｋ、ｍ、およびＬの値を設定することと、
を行うためのコードをさらに備える、請求項４８に記載のコンピュータプログラム製品。
【請求項５１】
ＷＡＮトラフィックのアウテージ確率が比（Ｋ×ｋ×Ｌ）／Ｔに基づき、前記コンピュータ可読媒体が、前記ＷＡＮトラフィックの前記アウテージ確率を制御するために第１の発見期間Ｔを調整するためのコードをさらに備える、請求項５０に記載のコンピュータプログラム製品。
【請求項５２】
前記コンピュータ可読媒体が、
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振ることと、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振ることと、
を行うためのコードをさらに備える、請求項４６に記載のコンピュータプログラム製品。
【請求項５３】
前記第２の発見期間において前記ＷＡＮ通信のために前記サブフレームを割り振ることは、前記ピア発見のためのｎ個の隣接サブフレームの少なくとも１つのセットの各々の後に前記ＷＡＮ通信のためのｍ個のサブフレームが続くように、前記第２の発見期間Ｔにおいて前記Ｋ個のブロックの各々において前記ＷＡＮ通信のためにｍ×Ｌ個のサブフレームを割り振ることを備える、請求項５２に記載のコンピュータプログラム製品。
【請求項５４】
ｋがｎに等しい、請求項５３に記載のコンピュータプログラム製品。
【請求項５５】
ｋがｎに等しくない、請求項５３に記載のコンピュータプログラム製品。
【請求項５６】
ｋが３に等しく、ｍが１に等しく、Ｋが１に等しい、請求項４８に記載のコンピュータプログラム製品。
【請求項５７】
前記コンピュータ可読媒体が、発展型ノードＢ（ｅＮＢ）からＴ、Ｋ、ｋ、ｎ、ｍ、またはＬのうちの少なくとも１つについての値を受信するためのコードをさらに備える、請求項５３に記載のコンピュータプログラム製品。
【請求項５８】
前記コンピュータ可読媒体が、システム情報ブロック（ＳＩＢ）中のＴ、Ｋ、ｋ、ｎ、ｍ、またはＬのうちの少なくとも１つについての値を１つまたは複数のＵＥに送信するためのコードをさらに備える、請求項５３に記載のコンピュータプログラム製品。
【請求項５９】
前記Ｋ個のブロックの各ブロック中の前記ＷＡＮ通信のためのサブフレームの前記第２のセットが、ＵＥによって送信されたアップリンク通信を受信するためのものである、請求項４６に記載のコンピュータプログラム製品。
【請求項６０】
前記コンピュータ可読媒体が、サブフレームの前記Ｋ個のブロックの各々において前記ＷＡＮ通信のために割り振られた１つまたは複数のサブフレーム中にＵＥからのアップリンク送信を監視するためのコードをさらに備える、請求項４６に記載のコンピュータプログラム製品。
【発明の詳細な説明】
【技術分野】
【０００１】
関連出願の相互参照
[0001]本出願は、その全体が参照により本明細書に明確に組み込まれる、２０１３年２月２６日に出願された「Resource allocation for the coexistence of peer discovery and legacy LTE traffic」と題する米国非仮出願第１３／７７７，７７９号の優先権を主張する。
【０００２】
[0002]本開示は、一般に、通信システムに関し、より詳細には、ピア発見（peer discovery）とレガシーロングタームエボリューション（ＬＴＥ：Long Term Evolution）トラフィックとの共存のためのリソース割振りに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ：code division multiple access）システム、時分割多元接続（ＴＤＭＡ：time division multiple access）システム、周波数分割多元接続（ＦＤＭＡ：frequency division multiple access）システム、直交周波数分割多元接続（ＯＦＤＭＡ：orthogonal frequency division multiple access ）システム、シングルキャリア周波数分割多元接続（ＳＣ−ＦＤＭＡ：single-carrier frequency division multiple access）システム、および時分割同期符号分割多元接続（ＴＤ−ＳＣＤＭＡ：time division synchronous code division multiple access）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ：downlink）上ではＯＦＤＭＡを使用し、アップリンク（ＵＬ：uplink）上ではＳＣ−ＦＤＭＡを使用し、多入力多出力（ＭＩＭＯ：multiple-input multiple-output）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、発見期間ＴにおいてＷＡＮ通信とピアツーピア通信（peer-to-peer communication）とのためにサブフレームのＫ個のブロックを割り振り、ＷＡＮ通信のために発見期間Ｔ中の残りのサブフレームを割り振り、そして、Ｋ個のブロックの各ブロックにおいて、ピア発見のためにサブフレームの第１のセットを割り振り、ＷＡＮ通信のためにサブフレームの第２のセットを割り振る。
【図面の簡単な説明】
【０００６】
【図１】[0006]ネットワークアーキテクチャの一例を示す図。
【図２】[0007]アクセスネットワークの一例を示す図。
【図３】[0008]ＬＴＥにおけるＤＬフレーム構造の一例を示す図。
【図４】[0009]ＬＴＥにおけるＵＬフレーム構造の一例を示す図。
【図５】[0010]ユーザプレーンおよび制御プレーンのための無線プロトコルアーキテクチャの一例を示す図。
【図６】[0011]アクセスネットワーク中の発展型ノードＢおよびユーザ機器の一例を示す図。
【図７】[0012]デバイス間通信システム（device-to-device communications system）の図。
【図８】[0013]ピア発見リソース割振りとワイドエリアネットワーク（ＷＡＮ：wide area network）リソース割振りとを示す図。
【図９Ａ】[0014]ワイヤレス通信の方法のフローチャート。
【図９Ｂ】ワイヤレス通信の方法のフローチャート。
【図１０】[0015]例示的な装置中の異なるモジュール／手段／コンポーネント間のデータフローを示す概念データフロー図。
【図１１】[0016]処理システムを採用する装置のためのハードウェア実装形態の例を示す図。
【図１２】[0017]ワイヤレス通信の方法のフローチャート。
【発明を実施するための形態】
【０００７】
[0018]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造およびコンポーネントをブロック図の形式で示す。
【０００８】
[0019]次に、様々な装置および方法に関して電気通信システムのいくつかの態様を提示する。これらの装置および方法について、以下の発明を実施するための形態において説明し、（「要素」と総称される）様々なブロック、モジュール、コンポーネント、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課された設計制約に依存する。
【０００９】
[0020]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0021]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１１】
[0022]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ：user equipment）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0023]Ｅ−ＵＴＲＡＮは、発展型ノードＢ（ｅＮＢ：evolved Node B）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0024]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１４】
[0025]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数とオーバーラップするセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。
【００１５】
[0026]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communication）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１６】
[0027]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００１７】
[0028]空間多重化は、概して、チャネル状態が良いときに使用される。チャネル状態があまり好ましくないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0029]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0030]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0031]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0032]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）において制御情報を送信し得る。ＵＥは、データセクション中の割り当てられたリソースブロック上の物理ＵＬ共有チャネル（ＰＵＳＣＨ：physical UL shared channel）においてデータのみまたはデータと制御情報の両方を送信し得る。ＵＬ送信は、サブフレームの両方のスロットにわたり得、周波数上でホッピングし得る。
【００２２】
[0033]初期システムアクセスを実行し、物理ランダムアクセスチャネル（ＰＲＡＣＨ：physical random access channel）４３０においてＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）においてまたは少数の隣接サブフレーム（contiguous subframe）のシーケンスにおいて搬送され、ＵＥは、フレーム（１０ｍｓ）ごとに単一のＰＲＡＣＨ試みだけを行うことができる。
【００２３】
[0034]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００２４】
[0035]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２５】
[0036]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担う。ＭＡＣサブレイヤ５１０はまたＨＡＲＱ動作を担う。
【００２６】
[0037]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担う。
【００２７】
[0038]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担う。
【００２８】
[0039]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域において基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００２９】
[0040]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３０】
[0041]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、解読（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００３１】
[0042]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担う。
【００３２】
[0043]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３３】
[0044]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0045]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００３５】
[0046]図７はデバイス間通信システム７００の図である。デバイス間通信システム７００は複数のワイヤレスデバイス７０４、７０６、７０８、７１０を含む。デバイス間通信システム７００は、たとえば、ワイヤレスワイドエリアネットワーク（ＷＷＡＮ）などのセルラー通信システムとオーバーラップし得る。ワイヤレスデバイス７０４、７０６、７０８、７１０の一部は、ＤＬ／ＵＬ  ＷＷＡＮスペクトルを使用してデバイス間通信において互いに通信し、一部は基地局７０２と通信し、一部は両方を行い得る。たとえば、図７に示すように、ワイヤレスデバイス７０４、７０６はデバイス間通信中であり、ワイヤレスデバイス７０８、７１０はデバイス間通信中である。ワイヤレスデバイス７０４、７０６は基地局７０２とも通信している。
【００３６】
[0047]以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイス間通信システムなど、様々なワイヤレスデバイス間通信システムのいずれにも適用可能である。説明を簡略化するために、例示的な方法および装置についてＬＴＥのコンテキスト内で説明する。ただし、例示的な方法および装置は、様々な他のワイヤレスデバイス間通信システムにより一般的に適用可能であることを当業者は理解されよう。
【００３７】
[0048]ワイドエリアネットワーク（ＷＡＮ）中のピア発見（ＰＤ：peer discovery）のためにワイヤレス通信リソースを割り振るとき、いくつかのファクタが考慮され得る。たとえば、ワイヤレス通信リソースは１つまたは複数のサブフレームであり得、ＷＡＮはＬＴＥネットワークであり得る。一態様では、以下で説明するように、いくつかのファクタは、電力供給をオンおよびオフにする（たとえば、スリープモードから起動し、その後スリープモードに戻る）ときにＵＥによって消費される電力と、ピア発見のために使用されるべきサブフレームの数と、ＷＡＮ中のトラフィックの中断とを含み得る。
【００３８】
[0049]概して、ＵＥの起動プロセスとスリーププロセスの両方は時間と電力とを消費する。したがって、ＵＥは、ピア発見を実行するためにスリープモードから起動し、その後スリープモードに戻るときに、かなりの量の時間と電力とを消費し得る。したがって、そのような時間と電力消費量とを低減するために、ピア発見に関心があるすべてのＵＥは、ピア発見を可能にするために、同時に起動し、オン状態になるように構成されるべきである。そのような構成は、ＵＥにおける不要な起動プロセスとスリーププロセスとを低減し得る。一態様では、ＵＥは、隣接ピア発見フレームのグループを使用することによって同時に起動するように構成され得る。
【００３９】
[0050]ＵＥは、ネットワークのダイナミクスによりピア発見を周期的に実行すべきである。Ｔによって示されるピア発見期間（peer discovery period）は発見遅延を決定する。ＬＴＥ−Ｄｉｒｅｃｔでは、ピア発見は１０．０秒（ｓ）または２０．０ｓごとに実行され得る。一方、Ｍによって示される、各ピア発見期間Ｔにおいてピア発見に必要とされるサブフレームの数は、エリアのＵＥの密度によって決定され得る。
【００４０】
[0051]前に説明したファクタにより、ピア発見リソースは、（「クラスタ」または「ブロック」とも呼ばれる）グループで周期的に割り振られるべきである。たとえば、ピア発見リソースは、サブフレームの１つまたは複数のピア発見ブロックを使用して割り振られ得る。各ピア発見ブロックにおいて、ＷＡＮトラフィックとピア発見との間の相互干渉を回避するために、レガシーＷＡＮ（たとえば、レガシーＬＴＥ）中の対応するトラフィックはアクティブになるべきでない。したがって、各ピア発見ブロックは、それがＷＡＮトラフィックを著しく妨害することになるので大きすぎるべきでない。したがって、各ピア発見ブロックは、せいぜい最大Ｄ個のサブフレームを含むように構成され得る。
【００４１】
[0052]一般性の喪失なしに、本明細書で説明する態様は、ピア発見がＦＤＤ（周波数分割複信）を採用しているＬＴＥシステムにおいてＵＬスペクトルを使用して実行される構成に基づく。しかしながら、本明細書で説明する態様はそのような構成に限定されないことを理解されたい。
【００４２】
[0053]図８は、ピア発見リソース割振りとＷＡＮリソース割振りとを示す図８００である。図８の構成では、各発見期間Ｔにおいて、Ｋ個のピア発見ブロックが割り当てられ得る。たとえば、Ｔは秒単位の時間期間であり得、Ｋは整数であり得る。図８では、影つき領域によって示されたピア発見ブロック８０４など、１つのピア発見ブロック（すなわち、Ｋ＝１）が、ピア発見期間Ｔ８０２など、各ピア発見期間Ｔの終わりに割り当てられ得る。一態様では、Ｋ個のピア発見ブロックは、同数のピア発見ブロックが各発見期間Ｔにおいて割り当てられるように一様に分配され得る。
【００４３】
[0054]図８中の各ピア発見ブロックは最大Ｄ個のサブフレームを含んでいることがある。一態様では、Ｄ＝（ｋ＋ｍ）×Ｌであり、ただし、ｋはピア発見のためのサブフレームの連続番号を表し、ｍはｋ個のサブフレームの直後のＷＡＮ通信のためのサブフレームの連続番号を表し、Ｌは、ｋ個のサブフレームとｍ個のサブフレームとのシーケンスがピア発見ブロックにおいて繰り返される回数を表す。たとえば、図８中のリソース割振りは、Ｔ＝２０ｓ、Ｋ＝１、ｋ＝３、ｍ＝１、およびＬ＝４となるように構成される。この構成では、図８に関して、ピア発見ブロック８０４は、ピア発見のための３つの連続するサブフレーム８０８と後続のＷＡＮ通信のための１つのサブフレーム８１０とのシーケンスを含み、ただし、サブフレームのそのようなシーケンスは４回繰り返される。各ピア発見ブロックにおいてＷＡＮ通信のために割り振られるサブフレームの数は式ｍ×Ｌによって表され得る。（ｋ＋ｍ）はピア発見ブロック中のＷＡＮサブフレームの期間であることに留意されたい。
【００４４】
[0055]起動およびスリーププロセスのためにＵＥによって消費される電力は式Ｋ×ＥON-OFF／Ｔによって表され得、ＥON-OFFは、各起動およびスリーププロセスのために必要とされる総エネルギーである。
【００４５】
[0056]一態様では、Ｋ、Ｌ、ｋ、およびｍの値は、以下の２つの条件を満たすように選択され得る。  
Ｄ≧（ｋ＋ｍ）×Ｌ      および  
Ｍ≦（Ｋ×ｋ×Ｌ）  
その上、Ｋ、Ｌ、ｋおよびｍの値は、さらに、ＷＡＮトラフィックへの中断を低減する目的で選択され得る。一態様では、Ｋの値は、ＵＥへの電力供給をオンおよびオフにする（たとえば、ＵＥが起動し、スリープモードに入る）ことに起因して消費される電力、遅延センシティブなトラフィックの割合、ＨＡＲＱ送信、および／またはエリアのＵＥの密度に基づいて決定される。たとえば、エリアのＵＥの密度は、セルのエリア内に位置するＵＥの数によって決定され得る。
【００４６】
[0057]ＷＡＮトラフィックのアウテージ確率（outage probability）はピア発見リソースの部分に関係し、それは比（Ｋ×ｋ×Ｌ）／Ｔによって表され得る。Ｋ、ｋ、およびＬがすでに選択されている場合、Ｔは、発見遅延とＷＡＮトラフィックのアウテージ確率との間のトレードオフを管理するように選択され得る。
【００４７】
[0058]一態様では、ピア発見ブロックにおいてＷＡＮサブフレームは、ＵＥによって送信されたアップリンク通信のために使用され、基地局（たとえば、ｅＮＢ）によって受信され得る。したがって、ピア発見ブロック中のＷＡＮサブフレームは、厳しい遅延要件と周期トラフィックパターンとを有するリアルタイムトラフィックに適応するためにＵＥによって送信されたアップリンク通信のために使用され得る。たとえば、リアルタイムトラフィックがアップリンクボイスセッションを伴う場合、そのようなボイスセッションは、一般に、スケジューリングオーバーヘッドを低減するために半永続的スケジューリング（ＳＰＳ）を使用してスケジュールされる。ボイスセッションでは、ボイスパケットが（４．０ｍｓの倍数である）２０．０ｍｓごとに生成されるので、ボイスセッションの開始時間は、ＵＥによるボイスパケットの送信が常にピア発見ブロック中のＷＡＮサブフレームにおいて行われるようにスケジュールされ得る。たとえば、ｋ＝３およびｍ＝１である一構成では、１つのＷＡＮサブフレームは、図８に示されているようにピア発見ブロック中の４つのサブフレームごとに生じることになる。したがって、各サブフレームが、１．０ｍｓであるように構成された場合、ＷＡＮサブフレームはピア発見ブロック中の４．０ｍｓごとに生じることになる。したがって、ＷＡＮサブフレームは、ＷＡＮサブフレームが２０．０ｍｓごとに利用可能であることを保証するために、ピア発見ブロックにおいて十分な頻度で生じることになる。そのような構成は、ボイスパケットが中断なしにピア発見ブロックのＷＡＮサブフレームにおいて送信されることを可能にし得る。また、ボイスセッション中のＨＡＲＱ再送信は、そのようなＨＡＲＱ再送信が一般に８．０ｍｓごとにスケジュールされるので、ピア発見ブロック中に含まれるＷＡＮサブフレームと対応し得る。したがって、ボイスセッションは、開始時間が適切であれば、無中断であり得る。
【００４８】
[0059]ＷＡＮサブフレームが、場合によってはピア発見ブロックにおいて利用可能でない場合、各ボイスセッションは、ピア発見ブロックの最初に中断され、ピア発見ブロックと干渉することを回避するためにピア発見ブロックの終わりに再開される必要があり得ることに留意されたい。ボイスセッションのそのような中断および再開は明示的制御メッセージを必要とするが、明示的制御メッセージは、多数のボイスセッションがある場合に実現可能でないことがある。
【００４９】
[0060]前に説明したように、Ｋおよびｋ＋ｍの値は、ＨＡＲＱ再送信をサポートするために選択され得る。たとえば、ＨＡＲＱインターレース８のファクタになるべきｋ＋ｍを選択することによって、ＷＡＮサブフレームは、無中断ＨＡＲＱ再送信を可能にするために、ピア発見ブロック中の８．０ｍｓごとに利用可能にされ得る。そのような構成は、ＴＣＰトラフィックの場合に無中断ＨＡＲＱ再送信を同様に行い得る。たとえば、ｋ＋ｍ＝４である場合、いくつかのＴＣＰ  ＨＡＲＱプロセスは中断されないことがある。しかしながら、他のＴＣＰ  ＨＡＲＱプロセスはピア発見ブロック中に中断される必要があり得る。
【００５０】
[0061]ピア発見ブロック中の周期ＷＡＮサブフレームはまた、（ダウンリンクトラフィックについてのＡＣＫ／ＮＡＣＫ、チャネル品質インジケータ（ＣＱＩ）などの情報を含んでいる）ＰＵＣＣＨがＷＡＮサブフレームにおいて中断されないので、ＬＴＥダウンリンクトラフィックを助け得る。したがって、ピア発見ブロック中のＬＴＥダウンリンク性能は改善され得る。概して、ｋに対するｍのより高い比がダウンリンク性能を改善し得る。しかしながら、ｋに対するｍのそのようなより高い比は、ＵＥがＷＡＮサブフレームを使用しない場合、発見中にＵＥのアイドル時間を増加させ得る。
【００５１】
[0062]図９Ａおよび図９Ｂは、ワイヤレス通信の方法のフローチャート９００である。本方法はｅＮＢによって実行され得る。ステップ９０２において、ｅＮＢは、ピア発見期間Ｔ内でピア発見のために必要とされるＭ個のサブフレームを決定する。たとえば、図８に関して、ピア発見期間Ｔ８０２は２０．０ｓであり得、ピア発見のために必要とされるＭ個のサブフレーム（たとえば、「Ｐ」と標示されたサブフレーム）は１２個であり得る。一態様では、ピア発見のために必要とされるＭ個のサブフレームはエリアのＵＥの密度に基づいて決定され得る。そのような態様では、エリア内のＵＥの数が増加するにつれて、ピア発見のために必要とされるＭ個のサブフレームも増加し得る。
【００５２】
[0063]ステップ９０４において、ｅＮＢは、サブフレームのＫ個のブロックの各々中に含まれ得る最大数のサブフレームを表すＤ個のサブフレームを決定する。たとえば、図８に関して、Ｄの値は１６になると決定され得る。したがって、そのような構成では、ピア発見ブロック８０４は１６個よりも多いサブフレームを含まないことがある。
【００５３】
[0064]ステップ９０６において、ｅＮＢは、別のｅＮＢからＴ、Ｋ、ｋ、ｎ、ｍおよび／またはＬについての値を受信する。第１のｅＮＢは、それのセル中のリソース割振りのためにこれらの値のうちの１つまたは複数を使用するか、または以下で説明する値自体を選定し得る。
【００５４】
[0065]ステップ９０８において、ｅＮＢは、ＵＥへの電力供給をオンおよびオフにすることに起因して消費される電力、遅延センシティブなトラフィックの割合、ＨＡＲＱ送信、および／またはエリアのＵＥの密度に基づいてＫの値を決定する。一構成では、起動（すなわち、電力供給オン）動作とスリープ（すなわち、電力供給オフ）動作とを実行した結果として、ＵＥへの電力供給がオンおよびオフにされ得る。たとえば、電力供給をオンおよびオフにすることによるＵＥの電力消費量が高い場合、Ｋは、低い値（たとえば、Ｋ＝１）になるように決定され得る。一構成では、発見期間Ｔにおいて拡張された長さを有する小さい数のピア発見ブロックを構成することは、多数のピア発見ブロックを構成することよりも好ましくなり得る。したがって、Ｋについての低い値は、ピアツーピア通信を求めるＵＥが発見期間Ｔ中に起動するように要求される回数を減少させ得、したがって、そのようなＵＥによって消費される電力を低減し得る。別の例として、すべてのＷＡＮアップリンクトラフィックに対する遅延センシティブなＷＡＮアップリンクトラフィックの割合が比較的大きい場合、各ピア発見ブロックにおいてＷＡＮアップリンク通信のために割り振られるサブフレームの数は増加させられ得（たとえば、ｍを増加させるか、ｋを減少させるか、またはその両方）、Ｋは、大きい値（たとえば、Ｋ＝１０）になるように決定され得る。別の例として、ピアツーピア通信を求めるＵＥの密度が増加した場合、Ｋ、ｋ、またはＬの値が増加させられ得るか、またはｍの値が減少させられ得る。
【００５５】
[0066]ステップ９１０において、ｅＮＢは、Ｍ≦（Ｋ×ｋ×Ｌ）およびＤ≧（ｋ＋ｍ）×Ｌとなるように、Ｋ、ｋ、ｍ、およびＬの値を設定する。また、（ｋ＋ｍ）がピア発見ブロック中のＷＡＮサブフレームの期間であると仮定すれば、リアルタイムトラフィックおよび／またはＨＡＲＱ再送信への中断を低減するために、（ｋ＋ｍ）は、リアルタイムパケットの期間（たとえば、ボイスパケットの場合、２０．０ｍｓ）および／またはＨＡＲＱ再送信の期間（たとえば、８．０ｍｓ）のファクタとして選定され得る。
【００５６】
[0067]ステップ９１２において、ｅＮＢは、ＷＡＮトラフィックのアウテージ確率を制御するために第１のピア発見期間Ｔを調整する。ＷＡＮトラフィックのアウテージ確率はピア発見リソースの部分に関係し、それは比（Ｋ×ｋ×Ｌ）／Ｔによって表され得る。したがって、Ｋ、ｋ、およびＬがすでに選択されている場合、Ｔは、発見遅延とＷＡＮトラフィックのアウテージ確率との間のトレードオフを管理するために調整され得る。たとえば、Ｔの値が増加させられた場合、ＷＡＮトラフィックのアウテージ確率は低減され得、発見遅延が増加させられ得る。代替的に、Ｔの値が減少させられた場合、ＷＡＮトラフィックのアウテージ確率は増加させられ得、発見遅延が減少させられ得る。
【００５７】
[0068]ステップ９１４において、ｅＮＢは、ピア発見期間ＴにおいてＷＡＮ通信とピアツーピア通信とのためにサブフレームのＫ個のブロックを割り振り、ＷＡＮ通信のためにピア発見期間Ｔ中の残りのサブフレームを割り振る。たとえば、図８に関して、ｅＮＢは、ピア発見期間Ｔ８０２においてＷＡＮ通信とピアツーピア通信とのためにピア発見ブロック８０４を割り振り、ＷＡＮ通信のためにピア発見期間Ｔ中の残りのサブフレーム８０６を割り振り得る。
【００５８】
[0069]ステップ９１６において、ｅＮＢは、Ｋ個のブロックの各ブロックにおいてピア発見のためにサブフレームの第１のセットを割り振り、ＷＡＮ通信のためにサブフレームの第２のセットを割り振る。一態様では、ｅＮＢは、ピア発見のためのｋ個の隣接サブフレームの少なくとも１つのセットの各々の後にＷＡＮ通信のためのｍ個のサブフレームが続くように、Ｋ個のブロックの各々においてＷＡＮ通信のためにｍ×Ｌ個のサブフレームを割り振り得る。たとえば、図８の構成に示されているように、ｋは３に設定され得、ｍは１に設定され得、Ｌは４に設定され得る。したがって、ピア発見ブロック８０４は、ＷＡＮ通信のための４つのサブフレーム（すなわち、ＷＡＮ通信のためのｍ×Ｌ＝１×４＝４サブフレーム）を含み、ただし、ＷＡＮ通信のためのサブフレームの各々（たとえば、ＷＡＮ通信のためのサブフレーム８１０）は、ピア発見のための３つの隣接サブフレーム（たとえば、ピア発見のためのサブフレーム８０８）に続く。別の態様では、サブフレームのＫ個のブロックの各々においてＷＡＮ通信のために割り振られたｍ×Ｌ個のサブフレームは、音声サービス、ＨＡＲＱ送信、または制御情報送信のうちの少なくとも１つをサポートする。
【００５９】
[0070]ステップ９１８において、ｅＮＢは、第２のピア発見期間ＴにおいてＷＡＮ通信とピアツーピア通信とのためにサブフレームのＫ個のブロックを割り振り、ＷＡＮ通信のために第２のピア発見期間Ｔ中の残りのサブフレームを割り振る。一態様では、ピア発見のためのｎ個の隣接サブフレームの少なくとも１つのセットの各々の後にＷＡＮ通信のためのｍ個のサブフレームが続くように、ｍ×Ｌ個のサブフレームは、第２のピア発見期間Ｔ中のＫ個のブロックの各々においてＷＡＮ通信のために割り振られ得る。一構成では、ｎはｋに等しいことがある。別の構成では、ｎはｋに等しくないことがある。また、より一般的には、他のパラメータ（たとえば、Ｋ、ｍ、Ｌ、Ｔ）は第１の発見期間Ｔにおけるパラメータとは異なり得る。
【００６０】
[0071]ステップ９２０において、ｅＮＢは、第２のピア発見期間Ｔ中のＫ個のブロックの各ブロックにおいて、ピア発見のためにサブフレームの第３のセットを割り振り、ＷＡＮ通信のためにサブフレームの第４のセットを割り振る。
【００６１】
[0072]ステップ９２２において、ｅＮＢは、ＳＩＢにおいてＴ、Ｋ、ｋ、ｎ、ｍ、および／またはＬについての値を１つまたは複数のＵＥに送信する。
【００６２】
[0073]ステップ９２４において、ｅＮＢは、サブフレームのＫ個のブロックの各々においてＷＡＮ通信のために割り振られた１つまたは複数のサブフレーム中にＵＥからのアップリンク送信を監視する。一態様では、ｅＮＢは、サブフレームのＫ個のブロックの各々においてピア発見のために割り振られた１つまたは複数のサブフレーム中にＵＥから受信された１つまたは複数のアップリンク送信を無視し得る。
【００６３】
[0074]図１０は、例示的な装置１００２の異なるモジュール／手段／コンポーネント間のデータフローを示す概念データフロー図１０００である。本装置はｅＮＢであり得る。本装置は、ピア発見期間Ｔ内でピア発見のために必要とされるＭ個のサブフレームを決定することと、サブフレームのＫ個のブロックの各々中に含まれ得る最大数のサブフレームを表すＤ個のサブフレームを決定することと、ＵＥへの電力供給をオンおよびオフにすることに起因して消費される電力、遅延センシティブなトラフィックの割合、ＨＡＲＱ送信、および／またはエリアのＵＥの密度に基づいてＫの値を決定することとを行う決定モジュール１００４を含む。
【００６４】
[0075]本装置は、別のｅＮＢ１０１６からＴ、Ｋ、ｋ、ｎ、ｍ、および／またはＬについての値を受信する受信モジュール１００６をさらに含む。一態様では、Ｔ、Ｋ、ｋ、ｎ、ｍ、および／またはＬについての値は、バックホール接続を通して受信されるか、またはワイヤレス通信を通して受信され得る。
【００６５】
[0076]本装置は、Ｍ≦（Ｋ×ｋ×Ｌ）およびＤ≧（ｋ＋ｍ）×Ｌとなるように、Ｋ、ｋ、ｍ、およびＬの値を設定する設定モジュール１００８をさらに含む。一構成では、（ｋ＋ｍ）はリアルタイムパケットの期間および／またはＨＡＲＱ再送信の期間のファクタであり得る。
【００６６】
[0077]本装置は、ＷＡＮトラフィックのアウテージ確率を制御するために第１のピア発見期間Ｔを調整する調整モジュール１０１０をさらに含む。
【００６７】
[0078]本装置は、Ｋ個のブロックの各ブロックにおいてピア発見のためにサブフレームの第１のセットを割り振り、ＷＡＮ通信のためにサブフレームの第２のセットを割り振る割振りモジュール１０１２をさらに含む。一態様では、割振りモジュール１０１２は、ピア発見のためのｋ個の隣接サブフレームの少なくとも１つのセットの各々の後にＷＡＮ通信のためのｍ個のサブフレームが続くように、Ｋ個のブロックの各々においてＷＡＮ通信のためにｍ×Ｌ個のサブフレームを割り振る。別の態様では、サブフレームのＫ個のブロックの各々においてＷＡＮ通信のために割り振られたｍ×Ｌ個のサブフレームは、音声サービス、ＨＡＲＱ送信、または制御情報送信のうちの少なくとも１つをサポートする。割振りモジュール１０１２は、第２の発見期間ＴにおいてＷＡＮ通信とピアツーピア通信とのためにサブフレームのＫ個のブロックを割り振り、ＷＡＮ通信のために第２の発見期間Ｔ中の残りのサブフレームを割り振る。一態様では、割振りモジュール１０１２は、ピア発見のためのｎ個の隣接サブフレームの少なくとも１つのセットの各々の後にＷＡＮ通信のためのｍ個のサブフレームが続くように、第２の発見期間ＴにおいてＫ個のブロックの各々においてＷＡＮ通信のためにｍ×Ｌ個のサブフレームを割り振る。一構成では、ｎはｋに等しいことがある。別の構成では、ｎはｋに等しくない。また、より一般的には、（Ｋ、ｍ、Ｌ、Ｔなどの）他のパラメータは第１の発見期間Ｔにおけるパラメータとは異なり得る。割振りモジュール１０１２は、第２のピア発見期間Ｔ中のＫ個のブロックの各ブロックにおいて、ピア発見のためにサブフレームの第３のセットを割り振り、ＷＡＮ通信のためにサブフレームの第４のセットを割り振る。
【００６８】
[0079]本装置は、ＷＡＮ通信とピア発見とのためのリソースの割振りを１つまたは複数のＵＥ１０１８に通信する送信モジュール１０１４をさらに含む。一態様では、送信モジュール１０１４は、システム情報ブロック（ＳＩＢ：System Information Block）において、Ｔ、Ｋ、ｋ、ｎ、ｍ、および／またはＬについての値を１つまたは複数のＵＥに送信し得る。
【００６９】
[0080]本装置は、サブフレームのＫ個のブロックの各々においてＷＡＮ通信のために割り振られた１つまたは複数のサブフレーム中にＵＥからのアップリンク送信を監視する監視モジュール１０１６をさらに含む。
【００７０】
[0081]本装置は、図９Ａおよび図９Ｂの上述のフローチャート中のアルゴリズムのステップの各々を実行する追加のモジュールを含み得る。したがって、図９Ａおよび図９Ｂの上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７１】
[0082]図１１は、処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４、モジュール１００４、１００６、１００８、１０１０、１０１２、および１０１４、ならびにコンピュータ可読媒体１１０６によって表される、１つまたは複数のプロセッサおよび／またはハードウェアモジュールを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００７２】
[0083]処理システム１１１４はトランシーバ１１１０に結合され得る。トランシーバ１１１０は、１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４、特に受信モジュール１００６に与える。さらに、トランシーバ１１１０は、処理システム１１１４、特に送信モジュール１０１４から情報を受信し、受信された情報に基づいて、１つまたは複数のアンテナ１１２０に適用されるべき信号を生成する。処理システム１１１４は、コンピュータ可読媒体１１０６に結合されたプロセッサ１１０４を含む。プロセッサ１１０４は、コンピュータ可読媒体１１０６に記憶されたソフトウェアの実行を含む一般的な処理を担う。ソフトウェアは、プロセッサ１１０４によって実行されたとき、処理システム１１１４に、任意の特定の装置のための上記で説明した様々な機能を実行させる。コンピュータ可読媒体１１０６はまた、ソフトウェアを実行するときにプロセッサ１１０４によって操作されるデータを記憶するために使用され得る。処理システムは、モジュール１００４、１００６、１００８、１０１０、１０１２、および１０１４のうちの少なくとも１つをさらに含む。それらのモジュールは、プロセッサ１１０４において動作するか、コンピュータ可読媒体１１０６中に常駐する／記憶されたソフトウェアモジュールであるか、プロセッサ１１０４に結合された１つまたは複数のハードウェアモジュールであるか、またはそれらの何らかの組合せであり得る。処理システム１１１４は、ｅＮＢ６１０のコンポーネントであり得、メモリ６７６および／またはＴＸプロセッサ６１６と、ＲＸプロセッサ６７０と、コントローラ／プロセッサ６７５とのうちの少なくとも１つを含み得る。
【００７３】
[0084]一構成では、ワイヤレス通信のための装置１００２／１００２’は、ＵＥへの電力供給をオンおよびオフにすることに起因して消費される電力、遅延センシティブなトラフィックの割合、ＨＡＲＱ送信、および／またはエリアのＵＥの密度に基づいて値Ｋを決定するための手段と、発見期間ＴにおいてＷＡＮ通信とピアツーピア通信とのためにサブフレームのＫ個のブロックを割り振り、ＷＡＮ通信のために発見期間Ｔ中の残りのサブフレームを割り振るための手段と、Ｋ個のブロックの各ブロックにおいてピア発見のためにサブフレームの第１のセットを割り振り、ＷＡＮ通信のためにサブフレームの第２のセットを割り振るための手段と、発見期間Ｔ内でピア発見のために必要とされるＭ個のサブフレームを決定するための手段と、サブフレームのＫ個のブロックの各々中に含まれるべきＤ個のサブフレームを決定するための手段と、Ｍ≦（Ｋ×ｋ×Ｌ）およびＤ≧（ｋ＋ｍ）×Ｌとなるように、Ｋ、ｋ、ｍ、およびＬの値を設定するための手段と、ＷＡＮトラフィックのアウテージ確率を制御するために第１の発見期間Ｔを調整するための手段と、第２の発見期間ＴにおいてＷＡＮ通信とピアツーピア通信とのためにサブフレームのＫ個のブロックを割り振り、ＷＡＮ通信のために第２の発見期間Ｔ中の残りのサブフレームを割り振るための手段と、第２の発見期間Ｔ中のＫ個のブロックの各ブロックにおいて、ピア発見のためにサブフレームの第３のセットを割り振り、ＷＡＮ通信のためにサブフレームの第４のセットを割り振るための手段と、ｅＮＢからＴ、Ｋ、ｋ、ｎ、ｍ、および／またはＬについての値を受信するための手段と、サブフレームのＫ個のブロックの各々においてＷＡＮ通信のために割り振られた１つまたは複数のサブフレーム中にＵＥからのアップリンク送信を監視するための手段とを含む。
【００７４】
[0085]上述の手段は、上述の手段によって具陳された機能を実行するように構成された、装置１００２、および／または装置１００２’の処理システム１１１４の上述のモジュールのうちの１つまたは複数であり得る。上記で説明したように、処理システム１１１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【００７５】
[0086]図１２は、ワイヤレス通信の方法のフローチャート１２００である。本方法はＵＥによって実行され得る。ステップ１２０２において、ＵＥは、ピア発見期間Ｔ内で１つまたは複数のピア発見ブロックの割振りを決定する。たとえば、ＵＥは、発見期間Ｔ、各発見期間Ｔにおいて割り当てられたＫ個のピア発見ブロック、Ｋ個のピア発見ブロック中のピア発見のためのｋ個の連続するサブフレーム、ｋ個のサブフレームの直後のＫ個のピア発見ブロック中のＷＡＮ通信のためのｍ個の連続するサブフレーム、およびｋ個のサブフレームとｍ個のサブフレームとのシーケンスがピア発見ブロックにおいて繰り返される回数Ｌを決定し得る。一構成では、ＵＥは、ｅＮＢからＴ、Ｋ、ｋ、ｎ、ｍ、および／またはＬについての値を受信し得る。
【００７６】
[0087]ステップ１２０４において、ＵＥは、Ｋ個のピア発見ブロックの各々について電力節約モード（たとえば、スリープモード）から起動する。一態様では、ＵＥは、ＷＡＮ通信のために割り振られたＫ個のピア発見ブロックのサブフレームを含む、Ｋ個のピア発見ブロックの各々の全体の間、起動したままであり得る。
【００７７】
[0088]ステップ１２０６において、ＵＥは、ピア発見のために割り振られたＫ個のピア発見ブロックのサブフレームを監視する。一態様では、ＵＥは、別のＵＥがそのＵＥとのピアツーピア通信を開始することを要求しているかどうかを決定するために、ピア発見のために割り振られたＫ個のピア発見ブロックのサブフレームを監視し得る。
【００７８】
[0089]ステップ１２０８において、ＵＥは、ＷＡＮ通信のために割り振られたピア発見ブロックのサブフレーム中に送信を送ることを控える。
【００７９】
[0090]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００８０】
[0091]以上の説明は、当業者が本明細書で説明された様々な態様を実行できるようにするために提供される。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供されるものではない。いかなるクレーム要素も、その要素が「ための手段」という語句を使用して明確に具陳されていない限り、ミーンズプラスファンクションとして解釈されるべきではない。
【図１】
2016513423.tif 000003
【図２】
2016513423.tif 000004
【図３】
2016513423.tif 000005
【図４】
2016513423.tif 000006
【図５】
2016513423.tif 000007
【図６】
2016513423.tif 000008
【図７】
2016513423.tif 000009
【図８】
2016513423.tif 000010
【図９Ａ】
2016513423.tif 000011
【図９Ｂ】
2016513423.tif 000012
【図１０】
2016513423.tif 000013
【図１１】
2016513423.tif 000014
【図１２】
2016513423.tif 000015
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ＵＥへの電力供給をオンおよびオフにすることに起因して消費される電力、遅延センシティブなＷＡＮトラフィックの割合、ハイブリッド自動再送要求（ＨＡＲＱ）送信、またはエリアのＵＥの密度のうちの少なくとも１つに基づいて、値Ｋを決定することと、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振ることと、
前記Ｋ個のブロックの各ブロックにおいて、ピア発見のためにサブフレームの第１のセットを割り振り、前記ＷＡＮ通信のためにサブフレームの第２のセットを割り振ることと、
を備えるワイヤレス通信の方法。
【請求項２】
前記ＷＡＮ通信のために前記サブフレームを割り振ることは、ピア発見のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信のためにｍ×Ｌ個のサブフレームを割り振ることを備える、請求項１に記載の方法。
【請求項３】
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、請求項２に記載の方法。
【請求項４】
前記発見期間Ｔ内でピア発見のために必要とされるＭ個のサブフレームを決定することと、
サブフレームの前記Ｋ個のブロックの各々中に含まれるべきＤ個のサブフレームの最大値を決定することと、
Ｍ≦（Ｋ×ｋ×Ｌ）およびＤ≧（ｋ＋ｍ）×Ｌとなるように、Ｋ、ｋ、ｍ、およびＬの値を設定することと、
をさらに備える、請求項２に記載の方法。
【請求項５】
ＷＡＮトラフィックのアウテージ確率が比（Ｋ×ｋ×Ｌ）／Ｔに基づき、前記方法が、前記ＷＡＮトラフィックの前記アウテージ確率を制御するために第１の発見期間Ｔを調整することをさらに備える、請求項４に記載の方法。
【請求項６】
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振ることと、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振ることと、
をさらに備える、請求項１に記載の方法。
【請求項７】
前記第２の発見期間において前記ＷＡＮ通信のために前記サブフレームを割り振ることは、前記ピア発見のためのｎ個の隣接サブフレームの少なくとも１つのセットの各々の後に前記ＷＡＮ通信のためのｍ個のサブフレームが続くように、前記第２の発見期間Ｔにおいて前記Ｋ個のブロックの各々において前記ＷＡＮ通信のためにｍ×Ｌ個のサブフレームを割り振ることを備える、請求項６に記載の方法。
【請求項８】
ｋがｎに等しい、請求項７に記載の方法。
【請求項９】
ｋがｎに等しくない、請求項７に記載の方法。
【請求項１０】
ｋが３に等しく、ｍが１に等しく、Ｋが１に等しい、請求項２に記載の方法。
【請求項１１】
発展型ノードＢ（ｅＮＢ）からＴ、Ｋ、ｋ、ｎ、ｍ、またはＬのうちの少なくとも１つについての値を受信することをさらに備える、請求項７に記載の方法。
【請求項１２】
システム情報ブロック（ＳＩＢ）中のＴ、Ｋ、ｋ、ｎ、ｍ、またはＬのうちの少なくとも１つについての値を１つまたは複数のＵＥに送信することをさらに備える、請求項７に記載の方法。
【請求項１３】
前記Ｋ個のブロックの各ブロック中の前記ＷＡＮ通信のためのサブフレームの前記第２のセットが、ＵＥによって送信されたアップリンク通信を受信するためのものである、請求項１に記載の方法。
【請求項１４】
サブフレームの前記Ｋ個のブロックの各々において前記ＷＡＮ通信のために割り振られた１つまたは複数のサブフレーム中にＵＥからのアップリンク送信を監視することをさらに備える、請求項１に記載の方法。
【請求項１５】
ワイヤレス通信のための装置であって、
ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、値Ｋを決定するための手段と、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振るための手段と、
前記Ｋ個のブロックの各ブロックにおいて、ピア発見のためにサブフレームの第１のセットを割り振り、前記ＷＡＮ通信のためにサブフレームの第２のセットを割り振るための手段と、
を備える、ワイヤレス通信のための装置。
【請求項１６】
前記ＷＡＮ通信のために前記サブフレームを割り振ることは、ピア発見のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信のためにｍ×Ｌ個のサブフレームを割り振ることを備える、請求項１５に記載の装置。
【請求項１７】
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、請求項１６に記載の装置。
【請求項１８】
前記発見期間Ｔ内でピア発見のために必要とされるＭ個のサブフレームを決定するための手段と、
サブフレームの前記Ｋ個のブロックの各々中に含まれるべきＤ個のサブフレームの最大値を決定するための手段と、
Ｍ≦（Ｋ×ｋ×Ｌ）およびＤ≧（ｋ＋ｍ）×Ｌとなるように、Ｋ、ｋ、ｍ、およびＬの値を設定するための手段と、
をさらに備える、請求項１６に記載の装置。
【請求項１９】
ＷＡＮトラフィックのアウテージ確率が比（Ｋ×ｋ×Ｌ）／Ｔに基づき、前記装置が、前記ＷＡＮトラフィックの前記アウテージ確率を制御するために第１の発見期間Ｔを調整するための手段をさらに備える、請求項１８に記載の装置。
【請求項２０】
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振るための手段と、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振るための手段と、
をさらに備える、請求項１５に記載の装置。
【請求項２１】
前記第２の発見期間において前記ＷＡＮ通信のために前記サブフレームを割り振ることは、前記ピア発見のためのｎ個の隣接サブフレームの少なくとも１つのセットの各々の後に前記ＷＡＮ通信のためのｍ個のサブフレームが続くように、前記第２の発見期間Ｔ中で前記Ｋ個のブロックの各々において前記ＷＡＮ通信のためにｍ×Ｌ個のサブフレームを割り振ることを備える、請求項２０に記載の装置。
【請求項２２】
ｋがｎに等しい、請求項２１に記載の装置。
【請求項２３】
ｋがｎに等しくない、請求項２１に記載の装置。
【請求項２４】
ｋが３に等しく、ｍが１に等しく、Ｋが１に等しい、請求項１６に記載の装置。
【請求項２５】
発展型ノードＢ（ｅＮＢ）からＴ、Ｋ、ｋ、ｎ、ｍ、またはＬのうちの少なくとも１つについての値を受信するための手段をさらに備える、請求項２１に記載の装置。
【請求項２６】
システム情報ブロック（ＳＩＢ）中のＴ、Ｋ、ｋ、ｎ、ｍ、またはＬのうちの少なくとも１つについての値を１つまたは複数のＵＥに送信するための手段をさらに備える、請求項２１に記載の装置。
【請求項２７】
前記Ｋ個のブロックの各ブロック中の前記ＷＡＮ通信のためのサブフレームの前記第２のセットが、ＵＥによって送信されたアップリンク通信を受信するためのものである、請求項１５に記載の装置。
【請求項２８】
サブフレームの前記Ｋ個のブロックの各々において前記ＷＡＮ通信のために割り振られた１つまたは複数のサブフレーム中にＵＥからのアップリンク送信を監視するための手段をさらに備える、請求項１５に記載の装置。
【請求項２９】
ワイヤレス通信のための装置であって、
ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、値Ｋを決定することと、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振ることと、
前記Ｋ個のブロックの各ブロックにおいて、ピア発見のためにサブフレームの第１のセットを割り振り、前記ＷＡＮ通信のためにサブフレームの第２のセットを割り振ることと、
を行うように構成された割振りモジュール
を備える、ワイヤレス通信のための装置。
【請求項３０】
ピア発見のためのｋ個の隣接サブフレームの少なくとも１つのセットの各々の後に前記ＷＡＮ通信のためのｍ個のサブフレームが続くように、ｍ×Ｌ個のサブフレームが前記Ｋ個のブロックの各々において前記ＷＡＮ通信のために割り振られる、請求項２９に記載の装置。
【請求項３１】
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、請求項３０に記載の装置。
【請求項３２】
前記発見期間Ｔ内でピア発見のために必要とされるＭ個のサブフレームを決定することと、
サブフレームの前記Ｋ個のブロックの各々中に含まれるべきＤ個のサブフレームの最大値を決定することと
を行うように構成された決定モジュールと、
Ｍ≦（Ｋ×ｋ×Ｌ）およびＤ≧（ｋ＋ｍ）×Ｌとなるように、Ｋ、ｋ、ｍ、およびＬの値を設定するように構成された設定モジュールと、
をさらに備える、請求項３０に記載の装置。
【請求項３３】
ＷＡＮトラフィックのアウテージ確率が比（Ｋ×ｋ×Ｌ）／Ｔに基づき、前記装置が、前記ＷＡＮトラフィックの前記アウテージ確率を制御するために第１の発見期間Ｔを調整するように構成された調整モジュールをさらに備える、請求項３２に記載の装置。
【請求項３４】
前記割振りモジュールが、
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振ることと、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振ることと、
を行うようにさらに構成された、請求項２９に記載の装置。
【請求項３５】
前記第２の発見期間中の前記ＷＡＮ通信のための前記サブフレームの割振りが、前記ピア発見のためのｎ個の隣接サブフレームの少なくとも１つのセットの各々の後に前記ＷＡＮ通信のためのｍ個のサブフレームが続くような、前記第２の発見期間Ｔ中の前記Ｋ個のブロックの各々中の前記ＷＡＮ通信のためのｍ×Ｌ個のサブフレームの割振りを備える、請求項３４に記載の装置。
【請求項３６】
ｋがｎに等しい、請求項３５に記載の装置。
【請求項３７】
ｋがｎに等しくない、請求項３５に記載の装置。
【請求項３８】
ｋが３に等しく、ｍが１に等しく、Ｋが１に等しい、請求項３０に記載の装置。
【請求項３９】
発展型ノードＢ（ｅＮＢ）からＴ、Ｋ、ｋ、ｎ、ｍ、またはＬのうちの少なくとも１つについての値を受信するように構成された受信モジュールをさらに備える、請求項３５に記載の装置。
【請求項４０】
システム情報ブロック（ＳＩＢ）中のＴ、Ｋ、ｋ、ｎ、ｍ、またはＬのうちの少なくとも１つについての値を１つまたは複数のＵＥに送信するように構成された送信モジュールをさらに備える、請求項３５に記載の装置。
【請求項４１】
前記Ｋ個のブロックの各ブロック中の前記ＷＡＮ通信のためのサブフレームの前記第２のセットが、ＵＥによって送信されたアップリンク通信を受信するためのものである、請求項２９に記載の装置。
【請求項４２】
サブフレームの前記Ｋ個のブロックの各々において前記ＷＡＮ通信のために割り振られた１つまたは複数のサブフレーム中にＵＥからのアップリンク送信を監視するように構成された監視モジュールをさらに備える、請求項２９に記載の装置。
【請求項４３】
コンピュータ可読媒体を備えるコンピュータプログラム製品であって、
前記コンピュータ可読媒体が、
ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、値Ｋを決定することと、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振ることと、
前記Ｋ個のブロックの各ブロックにおいて、ピア発見のためにサブフレームの第１のセットを割り振り、前記ＷＡＮ通信のためにサブフレームの第２のセットを割り振ることと、
を行うためのコードを備える、
コンピュータプログラム製品。
【請求項４４】
前記ＷＡＮ通信のために前記サブフレームを割り振ることは、ピア発見のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信のためにｍ×Ｌ個のサブフレームを割り振ることを備える、請求項４３に記載のコンピュータプログラム製品。
【請求項４５】
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、請求項４４に記載のコンピュータプログラム製品。
【請求項４６】
前記コンピュータ可読媒体が、
前記発見期間Ｔ内でピア発見のために必要とされるＭ個のサブフレームを決定することと、
サブフレームの前記Ｋ個のブロックの各々中に含まれるべきＤ個のサブフレームの最大値を決定することと、
Ｍ≦（Ｋ×ｋ×Ｌ）およびＤ≧（ｋ＋ｍ）×Ｌとなるように、Ｋ、ｋ、ｍ、およびＬの値を設定することと、
を行うためのコードをさらに備える、請求項４４に記載のコンピュータプログラム製品。
【請求項４７】
ＷＡＮトラフィックのアウテージ確率が比（Ｋ×ｋ×Ｌ）／Ｔに基づき、前記コンピュータ可読媒体が、前記ＷＡＮトラフィックの前記アウテージ確率を制御するために第１の発見期間Ｔを調整するためのコードをさらに備える、請求項４６に記載のコンピュータプログラム製品。
【請求項４８】
前記コンピュータ可読媒体が、
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振ることと、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振ることと、
を行うためのコードをさらに備える、請求項４３に記載のコンピュータプログラム製品。
【請求項４９】
前記第２の発見期間において前記ＷＡＮ通信のために前記サブフレームを割り振ることは、前記ピア発見のためのｎ個の隣接サブフレームの少なくとも１つのセットの各々の後に前記ＷＡＮ通信のためのｍ個のサブフレームが続くように、前記第２の発見期間Ｔにおいて前記Ｋ個のブロックの各々において前記ＷＡＮ通信のためにｍ×Ｌ個のサブフレームを割り振ることを備える、請求項４８に記載のコンピュータプログラム製品。
【請求項５０】
ｋがｎに等しい、請求項４９に記載のコンピュータプログラム製品。
【請求項５１】
ｋがｎに等しくない、請求項４９に記載のコンピュータプログラム製品。
【請求項５２】
ｋが３に等しく、ｍが１に等しく、Ｋが１に等しい、請求項４４に記載のコンピュータプログラム製品。
【請求項５３】
前記コンピュータ可読媒体が、発展型ノードＢ（ｅＮＢ）からＴ、Ｋ、ｋ、ｎ、ｍ、またはＬのうちの少なくとも１つについての値を受信するためのコードをさらに備える、請求項４９に記載のコンピュータプログラム製品。
【請求項５４】
前記コンピュータ可読媒体が、システム情報ブロック（ＳＩＢ）中のＴ、Ｋ、ｋ、ｎ、ｍ、またはＬのうちの少なくとも１つについての値を１つまたは複数のＵＥに送信するためのコードをさらに備える、請求項４９に記載のコンピュータプログラム製品。
【請求項５５】
前記Ｋ個のブロックの各ブロック中の前記ＷＡＮ通信のためのサブフレームの前記第２のセットが、ＵＥによって送信されたアップリンク通信を受信するためのものである、請求項４３に記載のコンピュータプログラム製品。
【請求項５６】
前記コンピュータ可読媒体が、サブフレームの前記Ｋ個のブロックの各々において前記ＷＡＮ通信のために割り振られた１つまたは複数のサブフレーム中にＵＥからのアップリンク送信を監視するためのコードをさらに備える、請求項４３に記載のコンピュータプログラム製品。
【手続補正２】
【補正対象書類名】明細書
【補正対象項目名】００８０
【補正方法】変更
【補正の内容】
【００８０】
[0091]以上の説明は、当業者が本明細書で説明された様々な態様を実行できるようにするために提供される。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供されるものではない。いかなるクレーム要素も、その要素が「ための手段」という語句を使用して明確に具陳されていない限り、ミーンズプラスファンクションとして解釈されるべきではない。
以下に、出願当初の特許請求の範囲に記載された発明を付記する。
［Ｃ１］
ワイヤレス通信の方法であって、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振ることと、
前記Ｋ個のブロックの各ブロックにおいて、ピア発見のためにサブフレームの第１のセットを割り振り、前記ＷＡＮ通信のためにサブフレームの第２のセットを割り振ることと、
を備えるワイヤレス通信の方法。
［Ｃ２］
ＵＥへの電力供給をオンおよびオフにすることに起因して消費される電力、遅延センシティブなＷＡＮトラフィックの割合、ハイブリッド自動再送要求（ＨＡＲＱ）送信、またはエリアのＵＥの密度のうちの少なくとも１つに基づいて、値Ｋを決定することをさらに備える、上記Ｃ１に記載の方法。
［Ｃ３］
前記ＷＡＮ通信のために前記サブフレームを割り振ることは、ピア発見のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信のためにｍ×Ｌ個のサブフレームを割り振ることを備える、上記Ｃ１に記載の方法。
［Ｃ４］
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、上記Ｃ３に記載の方法。
［Ｃ５］
前記発見期間Ｔ内でピア発見のために必要とされるＭ個のサブフレームを決定することと、
サブフレームの前記Ｋ個のブロックの各々中に含まれるべきＤ個のサブフレームの最大値を決定することと、
Ｍ≦（Ｋ×ｋ×Ｌ）およびＤ≧（ｋ＋ｍ）×Ｌとなるように、Ｋ、ｋ、ｍ、およびＬの値を設定することと、
をさらに備える、上記Ｃ３に記載の方法。
［Ｃ６］
ＷＡＮトラフィックのアウテージ確率が比（Ｋ×ｋ×Ｌ）／Ｔに基づき、前記方法が、前記ＷＡＮトラフィックの前記アウテージ確率を制御するために第１の発見期間Ｔを調整することをさらに備える、上記Ｃ５に記載の方法。
［Ｃ７］
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振ることと、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振ることと、
をさらに備える、上記Ｃ１に記載の方法。
［Ｃ８］
前記第２の発見期間において前記ＷＡＮ通信のために前記サブフレームを割り振ることは、前記ピア発見のためのｎ個の隣接サブフレームの少なくとも１つのセットの各々の後に前記ＷＡＮ通信のためのｍ個のサブフレームが続くように、前記第２の発見期間Ｔにおいて前記Ｋ個のブロックの各々において前記ＷＡＮ通信のためにｍ×Ｌ個のサブフレームを割り振ることを備える、上記Ｃ７に記載の方法。
［Ｃ９］
ｋがｎに等しい、上記Ｃ８に記載の方法。
［Ｃ１０］
ｋがｎに等しくない、上記Ｃ８に記載の方法。
［Ｃ１１］
ｋが３に等しく、ｍが１に等しく、Ｋが１に等しい、上記Ｃ３に記載の方法。
［Ｃ１２］
発展型ノードＢ（ｅＮＢ）からＴ、Ｋ、ｋ、ｎ、ｍ、またはＬのうちの少なくとも１つについての値を受信することをさらに備える、上記Ｃ８に記載の方法。
［Ｃ１３］
システム情報ブロック（ＳＩＢ）中のＴ、Ｋ、ｋ、ｎ、ｍ、またはＬのうちの少なくとも１つについての値を１つまたは複数のＵＥに送信することをさらに備える、上記Ｃ８に記載の方法。
［Ｃ１４］
前記Ｋ個のブロックの各ブロック中の前記ＷＡＮ通信のためのサブフレームの前記第２のセットが、ＵＥによって送信されたアップリンク通信を受信するためのものである、上記Ｃ１に記載の方法。
［Ｃ１５］
サブフレームの前記Ｋ個のブロックの各々において前記ＷＡＮ通信のために割り振られた１つまたは複数のサブフレーム中にＵＥからのアップリンク送信を監視することをさらに備える、上記Ｃ１に記載の方法。
［Ｃ１６］
ワイヤレス通信のための装置であって、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振るための手段と、
前記Ｋ個のブロックの各ブロックにおいて、ピア発見のためにサブフレームの第１のセットを割り振り、前記ＷＡＮ通信のためにサブフレームの第２のセットを割り振るための手段と、
を備える、ワイヤレス通信のための装置。
［Ｃ１７］
ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、値Ｋを決定するための手段をさらに備える、上記Ｃ１６に記載の装置。
［Ｃ１８］
前記ＷＡＮ通信のために前記サブフレームを割り振ることは、ピア発見のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信のためにｍ×Ｌ個のサブフレームを割り振ることを備える、上記Ｃ１６に記載の装置。
［Ｃ１９］
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、上記Ｃ１８に記載の装置。
［Ｃ２０］
前記発見期間Ｔ内でピア発見のために必要とされるＭ個のサブフレームを決定するための手段と、
サブフレームの前記Ｋ個のブロックの各々中に含まれるべきＤ個のサブフレームの最大値を決定するための手段と、
Ｍ≦（Ｋ×ｋ×Ｌ）およびＤ≧（ｋ＋ｍ）×Ｌとなるように、Ｋ、ｋ、ｍ、およびＬの値を設定するための手段と、
をさらに備える、上記Ｃ１８に記載の装置。
［Ｃ２１］
ＷＡＮトラフィックのアウテージ確率が比（Ｋ×ｋ×Ｌ）／Ｔに基づき、前記装置が、前記ＷＡＮトラフィックの前記アウテージ確率を制御するために第１の発見期間Ｔを調整するための手段をさらに備える、上記Ｃ２０に記載の装置。
［Ｃ２２］
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振るための手段と、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振るための手段と、
をさらに備える、上記Ｃ１６に記載の装置。
［Ｃ２３］
前記第２の発見期間において前記ＷＡＮ通信のために前記サブフレームを割り振ることは、前記ピア発見のためのｎ個の隣接サブフレームの少なくとも１つのセットの各々の後に前記ＷＡＮ通信のためのｍ個のサブフレームが続くように、前記第２の発見期間Ｔ中で前記Ｋ個のブロックの各々において前記ＷＡＮ通信のためにｍ×Ｌ個のサブフレームを割り振ることを備える、上記Ｃ２２に記載の装置。
［Ｃ２４］
ｋがｎに等しい、上記Ｃ２３に記載の装置。
［Ｃ２５］
ｋがｎに等しくない、上記Ｃ２３に記載の装置。
［Ｃ２６］
ｋが３に等しく、ｍが１に等しく、Ｋが１に等しい、上記Ｃ１８に記載の装置。
［Ｃ２７］
発展型ノードＢ（ｅＮＢ）からＴ、Ｋ、ｋ、ｎ、ｍ、またはＬのうちの少なくとも１つについての値を受信するための手段をさらに備える、上記Ｃ２３に記載の装置。
［Ｃ２８］
システム情報ブロック（ＳＩＢ）中のＴ、Ｋ、ｋ、ｎ、ｍ、またはＬのうちの少なくとも１つについての値を１つまたは複数のＵＥに送信するための手段をさらに備える、上記Ｃ２３に記載の装置。
［Ｃ２９］
前記Ｋ個のブロックの各ブロック中の前記ＷＡＮ通信のためのサブフレームの前記第２のセットが、ＵＥによって送信されたアップリンク通信を受信するためのものである、上記Ｃ１６に記載の装置。
［Ｃ３０］
サブフレームの前記Ｋ個のブロックの各々において前記ＷＡＮ通信のために割り振られた１つまたは複数のサブフレーム中にＵＥからのアップリンク送信を監視するための手段をさらに備える、上記Ｃ１６に記載の装置。
［Ｃ３１］
ワイヤレス通信のための装置であって、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振ることと、
前記Ｋ個のブロックの各ブロックにおいて、ピア発見のためにサブフレームの第１のセットを割り振り、前記ＷＡＮ通信のためにサブフレームの第２のセットを割り振ることと、
を行うように構成された割振りモジュール
を備える、ワイヤレス通信のための装置。
［Ｃ３２］
ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、値Ｋを決定するように構成された決定モジュールをさらに備える、上記Ｃ３１に記載の装置。
［Ｃ３３］
ピア発見のためのｋ個の隣接サブフレームの少なくとも１つのセットの各々の後に前記ＷＡＮ通信のためのｍ個のサブフレームが続くように、ｍ×Ｌ個のサブフレームが前記Ｋ個のブロックの各々において前記ＷＡＮ通信のために割り振られる、上記Ｃ３１に記載の装置。
［Ｃ３４］
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、上記Ｃ３３に記載の装置。
［Ｃ３５］
前記発見期間Ｔ内でピア発見のために必要とされるＭ個のサブフレームを決定することと、
サブフレームの前記Ｋ個のブロックの各々中に含まれるべきＤ個のサブフレームの最大値を決定することと
を行うように構成された決定モジュールと、
Ｍ≦（Ｋ×ｋ×Ｌ）およびＤ≧（ｋ＋ｍ）×Ｌとなるように、Ｋ、ｋ、ｍ、およびＬの値を設定するように構成された設定モジュールと、
をさらに備える、上記Ｃ３３に記載の装置。
［Ｃ３６］
ＷＡＮトラフィックのアウテージ確率が比（Ｋ×ｋ×Ｌ）／Ｔに基づき、前記装置が、前記ＷＡＮトラフィックの前記アウテージ確率を制御するために第１の発見期間Ｔを調整するように構成された調整モジュールをさらに備える、上記Ｃ３５に記載の装置。
［Ｃ３７］
前記割振りモジュールが、
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振ることと、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振ることと、
を行うようにさらに構成された、上記Ｃ３１に記載の装置。
［Ｃ３８］
前記第２の発見期間中の前記ＷＡＮ通信のための前記サブフレームの割振りが、前記ピア発見のためのｎ個の隣接サブフレームの少なくとも１つのセットの各々の後に前記ＷＡＮ通信のためのｍ個のサブフレームが続くような、前記第２の発見期間Ｔ中の前記Ｋ個のブロックの各々中の前記ＷＡＮ通信のためのｍ×Ｌ個のサブフレームの割振りを備える、上記Ｃ３７に記載の装置。
［Ｃ３９］
ｋがｎに等しい、上記Ｃ３８に記載の装置。
［Ｃ４０］
ｋがｎに等しくない、上記Ｃ３８に記載の装置。
［Ｃ４１］
ｋが３に等しく、ｍが１に等しく、Ｋが１に等しい、上記Ｃ３３に記載の装置。
［Ｃ４２］
発展型ノードＢ（ｅＮＢ）からＴ、Ｋ、ｋ、ｎ、ｍ、またはＬのうちの少なくとも１つについての値を受信するように構成された受信モジュールをさらに備える、上記Ｃ３８に記載の装置。
［Ｃ４３］
システム情報ブロック（ＳＩＢ）中のＴ、Ｋ、ｋ、ｎ、ｍ、またはＬのうちの少なくとも１つについての値を１つまたは複数のＵＥに送信するように構成された送信モジュールをさらに備える、上記Ｃ３８に記載の装置。
［Ｃ４４］
前記Ｋ個のブロックの各ブロック中の前記ＷＡＮ通信のためのサブフレームの前記第２のセットが、ＵＥによって送信されたアップリンク通信を受信するためのものである、上記Ｃ３１に記載の装置。
［Ｃ４５］
サブフレームの前記Ｋ個のブロックの各々において前記ＷＡＮ通信のために割り振られた１つまたは複数のサブフレーム中にＵＥからのアップリンク送信を監視するように構成された監視モジュールをさらに備える、上記Ｃ３１に記載の装置。
［Ｃ４６］
コンピュータプログラム製品であって、
発見期間ＴにおいてＷＡＮ通信とピアツーピア通信とのためにサブフレームのＫ個のブロックを割り振り、ＷＡＮ通信のために前記発見期間Ｔ中の残りのサブフレームを割り振ることと、
前記Ｋ個のブロックの各ブロックにおいて、ピア発見のためにサブフレームの第１のセットを割り振り、前記ＷＡＮ通信のためにサブフレームの第２のセットを割り振ることと、
を行うためのコードを備えるコンピュータ可読媒体
を備える、コンピュータプログラム製品。
［Ｃ４７］
前記コンピュータ可読媒体が、ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、値Ｋを決定するためのコードをさらに備える、上記Ｃ４６に記載のコンピュータプログラム製品。
［Ｃ４８］
前記ＷＡＮ通信のために前記サブフレームを割り振ることは、ピア発見のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信のためにｍ×Ｌ個のサブフレームを割り振ることを備える、上記Ｃ４６に記載のコンピュータプログラム製品。
［Ｃ４９］
サブフレームの前記Ｋ個のブロックの各々において前記ＷＡＮ通信のために割り振られた前記ｍ×Ｌ個のサブフレームが、音声サービス、前記ＨＡＲＱ送信、または制御情報送信のうちの少なくとも１つをサポートする、上記Ｃ４８に記載のコンピュータプログラム製品。
［Ｃ５０］
前記コンピュータ可読媒体が、
前記発見期間Ｔ内でピア発見のために必要とされるＭ個のサブフレームを決定することと、
サブフレームの前記Ｋ個のブロックの各々中に含まれるべきＤ個のサブフレームの最大値を決定することと、
Ｍ≦（Ｋ×ｋ×Ｌ）およびＤ≧（ｋ＋ｍ）×Ｌとなるように、Ｋ、ｋ、ｍ、およびＬの値を設定することと、
を行うためのコードをさらに備える、上記Ｃ４８に記載のコンピュータプログラム製品。
［Ｃ５１］
ＷＡＮトラフィックのアウテージ確率が比（Ｋ×ｋ×Ｌ）／Ｔに基づき、前記コンピュータ可読媒体が、前記ＷＡＮトラフィックの前記アウテージ確率を制御するために第１の発見期間Ｔを調整するためのコードをさらに備える、上記Ｃ５０に記載のコンピュータプログラム製品。
［Ｃ５２］
前記コンピュータ可読媒体が、
第２の発見期間Ｔにおいて前記ＷＡＮ通信と前記ピアツーピア通信とのためにサブフレームのＫ個のブロックを割り振り、前記ＷＡＮ通信のために前記第２の発見期間Ｔ中の残りのサブフレームを割り振ることと、
前記第２の発見期間Ｔ中の前記Ｋ個のブロックの各ブロックにおいて、前記ピア発見のためにサブフレームの第３のセットを割り振り、前記ＷＡＮ通信のためにサブフレームの第４のセットを割り振ることと、
を行うためのコードをさらに備える、上記Ｃ４６に記載のコンピュータプログラム製品。
［Ｃ５３］
前記第２の発見期間において前記ＷＡＮ通信のために前記サブフレームを割り振ることは、前記ピア発見のためのｎ個の隣接サブフレームの少なくとも１つのセットの各々の後に前記ＷＡＮ通信のためのｍ個のサブフレームが続くように、前記第２の発見期間Ｔにおいて前記Ｋ個のブロックの各々において前記ＷＡＮ通信のためにｍ×Ｌ個のサブフレームを割り振ることを備える、上記Ｃ５２に記載のコンピュータプログラム製品。
［Ｃ５４］
ｋがｎに等しい、上記Ｃ５３に記載のコンピュータプログラム製品。
［Ｃ５５］
ｋがｎに等しくない、上記Ｃ５３に記載のコンピュータプログラム製品。
［Ｃ５６］
ｋが３に等しく、ｍが１に等しく、Ｋが１に等しい、上記Ｃ４８に記載のコンピュータプログラム製品。
［Ｃ５７］
前記コンピュータ可読媒体が、発展型ノードＢ（ｅＮＢ）からＴ、Ｋ、ｋ、ｎ、ｍ、またはＬのうちの少なくとも１つについての値を受信するためのコードをさらに備える、上記Ｃ５３に記載のコンピュータプログラム製品。
［Ｃ５８］
前記コンピュータ可読媒体が、システム情報ブロック（ＳＩＢ）中のＴ、Ｋ、ｋ、ｎ、ｍ、またはＬのうちの少なくとも１つについての値を１つまたは複数のＵＥに送信するためのコードをさらに備える、上記Ｃ５３に記載のコンピュータプログラム製品。
［Ｃ５９］
前記Ｋ個のブロックの各ブロック中の前記ＷＡＮ通信のためのサブフレームの前記第２のセットが、ＵＥによって送信されたアップリンク通信を受信するためのものである、上記Ｃ４６に記載のコンピュータプログラム製品。
［Ｃ６０］
前記コンピュータ可読媒体が、サブフレームの前記Ｋ個のブロックの各々において前記ＷＡＮ通信のために割り振られた１つまたは複数のサブフレーム中にＵＥからのアップリンク送信を監視するためのコードをさらに備える、上記Ｃ４６に記載のコンピュータプログラム製品。
【国際調査報告】
2016513423.tif 000016
2016513423.tif 000017